(57)【特許請求の範囲】
【請求項１】
ディスク状記録媒体から時間的に連続する第１、第２の情報信号を含む信号を再生する再生装置において、
上記情報信号は映像信号及び音声信号であって、上記第２の情報信号はＣＭ、上記第１の情報信号は上記情報信号からＣＭを除いたものであり、
上記ディスク状記録媒体から情報信号を読み出す読み出し手段と、
再生されている情報信号の現在位置を基準として時間的に先行した位置における情報信号を上記読み出し手段にて読み出し、その情報信号が上記第１の情報信号又は第２の情報信号のいずれであるかを検出する検出手段と、
上記検出手段で検出した情報信号の別に基づいて、上記ディスク状記録媒体からの情報信号の再生を制御する制御手段とを有し、
上記検出手段は、上記音声信号の無音声部検出結果、上記映像信号のシーンチェンジ検出結果、及び検出された信号の区間が所定単位時間の整数倍となるか否かの判断結果に基づき、上記第２の情報信号であるＣＭの候補区間を検出し、
上記制御手段は、上記検出手段で検出した上記第２の情報信号の領域をスキップして第１の情報信号のみ再生するように制御する
再生装置。
【請求項２】
半導体メモリから時間的に連続する第１、第２の情報信号を含む信号を再生する再生装置において、
上記情報信号は映像信号及び音声信号であって、上記第２の情報信号はＣＭ、上記第１の情報信号は上記情報信号からＣＭを除いたものであり、
上記半導体メモリから情報信号を読み出す読み出し手段と、
再生されている情報信号の現在位置を基準として時間的に先行した位置における情報信号を上記読み出し手段にて読み出し、その情報信号が上記第１の情報信号又は第２の情報信号のいずれであるかを検出する検出手段と、
上記検出手段で検出した情報信号の別に基づいて、上記半導体メモリからの情報信号の再生を制御する制御手段とを有し、
上記検出手段は、上記音声信号の無音声部検出結果、上記映像信号のシーンチェンジ検出結果、及び検出された信号の区間が所定単位時間の整数倍となるか否かの判断結果に基づき、上記第２の情報信号であるＣＭの候補区間を検出し、
上記制御手段は、上記検出手段で検出した上記第２の情報信号の領域をスキップして第１の情報信号のみ再生するように制御する
再生装置。
【請求項３】
ディスク状記録媒体から時間的に連続する第１、第２の情報信号を含む信号を再生する再生方法において、
上記情報信号は映像信号及び音声信号であって、上記第２の情報信号はＣＭ、上記第１の情報信号は上記情報信号からＣＭを除いたものであり、
上記ディスク状記録媒体から情報信号を読み出し、
再生されている情報信号の現在位置を基準として時間的に先行した位置における情報信号を読み出し、上記音声信号の無音声部検出結果、上記映像信号のシーンチェンジ検出結果、及び検出された信号の区間が所定単位時間の整数倍となるか否かの判断結果に基づき、上記第２の情報信号であるＣＭの候補区間を検出することにより、その情報信号が上記第１の情報信号又は第２の情報信号のいずれであるかを検出し、
検出した情報信号の別に基づいて、上記ディスク状記録媒体からの情報信号の再生を制御する際に、上記検出された第２の情報信号の領域をスキップして第１の情報信号のみ再生するように制御する
再生方法。
【請求項４】
半導体メモリから時間的に連続する第１、第２の情報信号を含む信号を再生する再生方法において、
上記情報信号は映像信号及び音声信号であって、上記第２の情報信号はＣＭ、上記第１の情報信号は上記情報信号からＣＭを除いたものであり、
上記半導体メモリから情報信号を読み出し、
再生されている情報信号の現在位置を基準として時間的に先行した位置における情報信号を読み出し、上記音声信号の無音声部検出結果、上記映像信号のシーンチェンジ検出結果、及び検出された信号の区間が所定単位時間の整数倍となるか否かの判断結果に基づき、上記第２の情報信号であるＣＭの候補区間を検出することにより、その情報信号が上記第１の情報信号又は第２の情報信号のいずれであるかを検出し、
検出した情報信号の別に基づいて、上記半導体メモリからの情報信号の再生を制御する際に、上記検出された第２の情報信号の領域をスキップして第１の情報信号のみ再生するように制御する
再生方法。
【請求項５】
ディスク状記録媒体に対して時間的に連続する第１、第２の情報信号を含む信号を記録及び／又は再生する記録及び／又は再生装置において、
上記情報信号は映像信号及び音声信号であって、上記第２の情報信号はＣＭ、上記第１の情報信号は上記情報信号からＣＭを除いたものであり、
上記ディスク状記録媒体から情報信号を読み出す読み出し手段と、
上記ディスク状記録媒体に情報信号を書き込む書き込み手段と、
再生されている情報信号の現在位置を基準として時間的に先行した位置における情報信号を上記読み出し手段にて読み出し、上記音声信号の無音声部検出結果、上記映像信号のシーンチェンジ検出結果、及び検出された信号の区間が所定単位時間の整数倍となるか否かの判断結果に基づき、上記第２の情報信号であるＣＭの候補区間を検出することにより、その情報信号が上記第１の情報信号又は第２の情報信号のいずれであるかを検出する検出手段と、
上記検出手段の検出結果に応じて検出情報を作成する検出情報作成手段と、
上記検出結果又は上記検出情報に基づいて、上記ディスク状記録媒体からの情報信号の再生を制御する制御手段とを有し、
上記検出手段は、上記音声信号の無音声部検出結果、上記映像信号のシーンチェンジ検出結果、及び検出された信号の区間が所定単位時間の整数倍となるか否かの判断結果に基づき、上記第２の情報信号であるＣＭの候補区間を検出し、
上記書き込み手段は、上記検出情報作成手段で作成した検出情報を上記ディスク状記録媒体に書き込み、
上記制御手段は、上記検出結果又は上記検出情報に基づいて、上記第２の情報信号の領域をスキップして第１の情報信号のみ再生するように制御する
記録及び／又は再生装置。
【請求項６】
半導体メモリに対して時間的に連続する第１、第２の情報信号を含む信号を記録及び／又は再生する記録及び／又は再生装置において、
上記情報信号は映像信号及び音声信号であって、上記第２の情報信号はＣＭ、上記第１の情報信号は上記情報信号からＣＭを除いたものであり、
上記半導体メモリから情報信号を読み出す読み出し手段と、
上記半導体メモリに情報信号を書き込む書き込み手段と、
再生されている情報信号の現在位置を基準として時間的に先行した位置における情報信号を上記読み出し手段にて読み出し、その情報信号が上記第１の情報信号又は第２の情報信号のいずれであるかを検出する検出手段と、
上記検出手段の検出結果に応じて検出情報を作成する検出情報作成手段と、
上記検出結果又は上記検出情報に基づいて、上記半導体メモリからの情報信号の再生を制御する制御手段とを有し、
上記検出手段は、上記音声信号の無音声部検出結果、上記映像信号のシーンチェンジ検出結果、及び検出された信号の区間が所定単位時間の整数倍となるか否かの判断結果に基づき、上記第２の情報信号であるＣＭの候補区間を検出し、
上記書き込み手段は、上記検出情報作成手段で作成した検出情報を上記半導体メモリに書き込み、
上記制御手段は、上記検出結果又は上記検出情報に基づいて、上記第２の情報信号の領域をスキップして第１の情報信号のみ再生するように制御する
記録及び／又は再生装置。
【請求項７】
ディスク状記録媒体に対して時間的に連続する第１、第２の情報信号を含む信号を記録及び／又は再生する記録及び／又は再生方法において、
上記情報信号は映像信号及び音声信号であって、上記第２の情報信号はＣＭ、上記第１の情報信号は上記情報信号からＣＭを除いたものであり、
上記ディスク状記録媒体から情報信号を読み出し、
上記ディスク状記録媒体に情報信号を書き込み、
再生されている情報信号の現在位置を基準として時間的に先行した位置における情報信号を読み出し、上記音声信号の無音声部検出結果、上記映像信号のシーンチェンジ検出結果、及び検出された信号の区間が所定単位時間の整数倍となるか否かの判断結果に基づき、上記第２の情報信号であるＣＭの候補区間を検出することにより、その情報信号が上記第１の情報信号又は第２の情報信号のいずれであるかを検出し、
検出結果に応じて検出情報を作成し、
上記検出結果又は上記検出情報に基づいて、上記ディスク状記録媒体からの情報信号の再生を制御し、
上記書き込みの際には、上記検出情報を上記ディスク状記録媒体に書き込み、
上記検出結果又は上記検出情報に基づいて、上記第２の情報信号の領域をスキップして第１の情報信号のみ再生するように制御する
記録及び／又は再生方法。
【請求項８】
半導体メモリに対して時間的に連続する第１、第２の情報信号を含む信号を記録及び／又は再生する記録及び／又は再生方法において、
上記情報信号は映像信号及び音声信号であって、上記第２の情報信号はＣＭ、上記第１の情報信号は上記情報信号からＣＭを除いたものであり、
上記半導体メモリから情報信号を読み出し、
上記半導体メモリに情報信号を書き込み、
再生されている情報信号の現在位置を基準として時間的に先行した位置における情報信号を読み出し、上記音声信号の無音声部検出結果、上記映像信号のシーンチェンジ検出結果、及び検出された信号の区間が所定単位時間の整数倍となるか否かの判断結果に基づき、上記第２の情報信号であるＣＭの候補区間を検出することにより、その情報信号が上記第１の情報信号又は第２の情報信号のいずれであるかを検出し、
検出結果に応じて検出情報を作成し、
上記検出結果又は上記検出情報に基づいて、上記半導体メモリからの情報信号の再生を制御し、
上記書き込みの際には、上記検出情報を上記半導体メモリに書き込み、
上記検出結果又は上記検出情報に基づいて、上記第２の情報信号の領域をスキップして第１の情報信号のみ再生するように制御する
記録及び／又は再生方法。
【発明の詳細な説明】
【０００１】
【発明の属する技術分野】
本発明は、記録媒体から情報信号を再生する再生装置及び方法並びに記録媒体に対して情報信号を記録及び／又は再生する記録及び／又は再生装置及び方法に関する。
【０００２】
【従来の技術】
従来、テレビジョン信号を記録及び／又は再生するビデオテープレコーダ（video tape recorder; VTR）が提供されている。ＶＴＲには、テレビジョン信号に含まれるいわゆるコマーシャル（ＣＭ）を除去する機能を有するものがある。ＣＭを除去する機能を有する従来のＶＴＲは、記録時にＣＭを検出し、検出結果をメモリやテープに残すものであった。
【０００３】
【発明が解決しようとする課題】
しかしながら、ＣＭを除去する機能を有する従来のＶＴＲでは、ＣＭの検出が記録時に限られていた。このため、例えば、記録時にＣＭを検出する機能をオフにした場合や、例えば検出結果を残していても検出結果について互換性がない他のＶＴＲで再生する場合には、対応できないという問題があった。
【０００４】
本発明は、上述の実情に鑑みて提案されるものであって、記録時に限らずにＣＭを検出することにより、ＣＭを除去する機能を有するような再生装置及び方法並びに記録及び／又は再生装置及び方法を提供することを目的とする。
【０００５】
【問題を解決するための手段】
上述の課題を解決するために、本発明に係る再生装置は、ディスク状記録媒体から時間的に連続する第１、第２の情報信号を含む信号を再生する再生装置において、上記情報信号は映像信号及び音声信号であって、上記第２の情報信号はＣＭ、上記第１の情報信号は上記情報信号からＣＭを除いたものであり、上記ディスク状記録媒体から情報信号を読み出す読み出し手段と、再生されている情報信号の現在位置を基準として時間的に先行した位置における情報信号を上記読み出し手段にて読み出し、その情報信号が上記第１の情報信号又は第２の情報信号のいずれであるかを検出する検出手段と、上記検出手段で検出した情報信号の別に基づいて、上記ディスク状記録媒体からの情報信号の再生を制御する制御手段とを有し、上記検出手段は、上記音声信号の無音声部検出結果、上記映像信号のシーンチェンジ検出結果、及び検出された信号の区間が所定単位時間の整数倍となるか否かの判断結果に基づき、上記第２の情報信号であるＣＭの候補区間を検出し、上記制御手段は、上記検出手段で検出した上記第２の情報信号の領域をスキップして第１の情報信号のみ再生するように制御するものである。上記ディスク状記録媒体の代わりに半導体メモリを用いてもよい。
【０００６】
本発明に係る再生方法は、ディスク状記録媒体から時間的に連続する第１、第２の情報信号を含む信号を再生する再生方法において、上記情報信号は映像信号及び音声信号であって、上記第２の情報信号はＣＭ、上記第１の情報信号は上記情報信号からＣＭを除いたものであり、上記ディスク状記録媒体から情報信号を読み出し、再生されている情報信号の現在位置を基準として時間的に先行した位置における情報信号を読み出し、上記音声信号の無音声部検出結果、上記映像信号のシーンチェンジ検出結果、及び検出された信号の区間が所定単位時間の整数倍となるか否かの判断結果に基づき、上記第２の情報信号であるＣＭの候補区間を検出することにより、その情報信号が上記第１の情報信号又は第２の情報信号のいずれであるかを検出し、検出した情報信号の別に基づいて、上記ディスク状記録媒体からの情報信号の再生を制御する際に、上記検出された第２の情報信号の領域をスキップして第１の情報信号のみ再生するように制御するものである。上記ディスク状記録媒体の代わりに半導体メモリを用いてもよい。
【０００７】
本発明に係る記録及び／又は再生装置は、ディスク状記録媒体に対して時間的に連続する第１、第２の情報信号を含む信号を記録及び／又は再生する記録及び／又は再生装置において、上記情報信号は映像信号及び音声信号であって、上記第２の情報信号はＣＭ、上記第１の情報信号は上記情報信号からＣＭを除いたものであり、上記ディスク状記録媒体から情報信号を読み出す読み出し手段と、上記ディスク状記録媒体に情報信号を書き込む書き込み手段と、再生されている情報信号の現在位置を基準として時間的に先行した位置における情報信号を上記読み出し手段にて読み出し、上記音声信号の無音声部検出結果、上記映像信号のシーンチェンジ検出結果、及び検出された信号の区間が所定単位時間の整数倍となるか否かの判断結果に基づき、上記第２の情報信号であるＣＭの候補区間を検出することにより、その情報信号が上記第１の情報信号又は第２の情報信号のいずれであるかを検出する検出手段と、上記検出手段の検出結果に応じて検出情報を作成する検出情報作成手段と、上記検出結果又は上記検出情報に基づいて、上記ディスク状記録媒体からの情報信号の再生を制御する制御手段とを有し、上記検出手段は、上記音声信号の無音声部検出結果、上記映像信号のシーンチェンジ検出結果、及び検出された信号の区間が所定単位時間の整数倍となるか否かの判断結果に基づき、上記第２の情報信号であるＣＭの候補区間を検出し、上記書き込み手段は、上記検出情報作成手段で作成した検出情報を上記ディスク状記録媒体に書き込み、上記制御手段は、上記検出結果又は上記検出情報に基づいて、上記第２の情報信号の領域をスキップして第１の情報信号のみ再生するように制御するものである。上記ディスク状記録媒体の代わりに半導体メモリを用いてもよい。
【０００８】
本発明に係る記録及び／又は再生方法は、ディスク状記録媒体に対して時間的に連続する第１、第２の情報信号を含む信号を記録及び／又は再生する記録及び／又は再生方法において、上記情報信号は映像信号及び音声信号であって、上記第２の情報信号はＣＭ、上記第１の情報信号は上記情報信号からＣＭを除いたものであり、上記ディスク状記録媒体から情報信号を読み出し、上記ディスク状記録媒体に情報信号を書き込み、再生されている情報信号の現在位置を基準として時間的に先行した位置における情報信号を読み出し、上記音声信号の無音声部検出結果、上記映像信号のシーンチェンジ検出結果、及び検出された信号の区間が所定単位時間の整数倍となるか否かの判断結果に基づき、上記第２の情報信号であるＣＭの候補区間を検出することにより、その情報信号が上記第１の情報信号又は第２の情報信号のいずれであるかを検出し、検出結果に応じて検出情報を作成し、上記検出結果又は上記検出情報に基づいて、上記ディスク状記録媒体からの情報信号の再生を制御し、上記書き込みの際には、上記検出情報を上記ディスク状記録媒体に書き込み、上記検出結果又は上記検出情報に基づいて、上記第２の情報信号の領域をスキップして第１の情報信号のみ再生するように制御するものである。上記ディスク状記録媒体の代わりに半導体メモリを用いてもよい。
【０００９】
上述のように、本発明によると、記録媒体からの再生時に情報信号が第１の情報信号又は第２の情報信号のいずれかであるかを検出するので、このような検出機能を有しない機器で情報信号を記録された記録媒体に対しても、再生した情報信号が第１の情報信号又は第２の情報信号のいずれであるかを検出することができる。
【００１０】
また、本発明によると、記録媒体からの再生時に情報信号が第１の情報信号又は第２の情報信号のいずれであるかを検出し、この検出結果を記録媒体に記録することができる。
【００１１】
さらに、本発明によると、記録媒体からの再生時に情報信号が第１の情報信号又は第２の情報信号のいずれであるかを検出し、この検出結果を識別情報として再生した情報信号に付加することにより、複製を作成しても情報信号の別を保持することができる。
【００１２】
【発明の実施の形態】
以下、本発明の実施の形態について、図面を参照して説明する。本実施の形態では、記録媒体に対して映像信号及び音声信号からなる情報信号を記録及び／又は再生する記録及び／又は再生装置を説明する。
【００１３】
本実施の形態の記録及び／又は再生装置は、記録媒体に対して情報信号を記録する記録系と、記録媒体に対して情報信号を再生する再生系から構成される。最初に、記録系及び再生系を含む記録及び／又は再生装置の全体の概略的な構造について、図１を参照して説明する。
【００１４】
記録及び／又は再生装置は、入力された情報信号に対して記録媒体に記録するための処理を施す記録信号処理部１と、情報信号が記録される記録媒体３と、記録媒体３から再生した信号に処理を施して出力する出力信号処理部４とを有している。
【００１５】
記録信号処理部１には、情報信号として映像信号及び音声信号が入力される。記録信号処理部１に入力された音声信号及び映像信号は、記録媒体３に記録するために各種処理を施される。
【００１６】
記録媒体４は、例えばハードディスク装置が用いられ、記録信号処理部１から送られたデータが記録されると共に、再生信号処理部４に送られるデータが再生される。
【００１７】
再生信号処理部４は、記録媒体３にて再生された信号が入力される。再生信号処理部４は、記録媒体３から読み出された情報信号に各種処理を施し、映像信号及び音声信号を出力する。
【００１８】
記録及び／又は再生装置は、記録媒体３におけるサーボ、ヘッド移動等を制御するディスクヘッド制御部５と、記録媒体３に対する情報信号の記録を制御する信号が入力される記録制御信号入力部６と、記録媒体３からの情報信号の再生を制御する信号が入力される再生制御信号入力部８と、この記録及び／又は再生装置の各部を制御するシステムコントローラ７とを有している。
【００１９】
ディスクヘッド制御部５は、記録媒体３に対して情報信号を記録及び／又は再生する際に、サーボ、ヘッド移動等を制御する。
【００２０】
記録制御信号入力部６は、情報信号を記録媒体３に対して記録する制御信号が入力するために、例えば入力手段として押しボタンスイッチを有する。記録制御信号入力部６での入力操作により、記録制御信号がシステムコントローラ７に送られる。
【００２１】
再生制御信号入力部８は、情報信号を記録媒体３から再生する制御信号を入力するために、例えば入力手段として押しボタンスイッチを有する。再生制御信号入力部８での入力操作により、再生制御信号がシステムコントローラ７に送られる。
【００２２】
システムコントローラ７は、記録及び／又は再生装置の各部を制御するものである。システムコントローラは、記録制御信号入力部６、再生制御信号入力部８及び後述する信号検出部９から制御信号を送られる。システムコントローラ７は、これらの制御信号に基づいて、記録媒体３をはじめ、記録及び／又は再生装置の各部を制御する。
【００２３】
記録及び／又は再生装置は、再生信号処理部４にて処理が施された信号から、いわゆるコマーシャル（ＣＭ）を検出する信号検出部９を有している。信号検出部９は、再生信号処理部４からの映像信号及び／又は音声信号に基づいて、ＣＭを検出する。信号検出部９は、検出の結果をシステムコントローラ７に送る。
【００２４】
次に、記録及び／又は再生装置において、情報信号を記録媒体３に記録する記録系について、図２を参照して説明する。
【００２５】
記録及び／又は再生装置の記録系は、図１に示した記録及び／又は再生装置において、記録信号処理部１、記録制御信号入力部６を含み、システムコントローラ７制御の下に、ディスクヘッド制御部５に制御されて記録媒体３に対するデータの記録を行うものである。
【００２６】
記録及び／又は再生装置の記録系は入力される映像信号に処理を施す映像信号処理部１０と、入力されるカメラ信号に対する処理を施すカメラ信号処理部１１と、アンテナからの信号を処理するチューナー部１２と、映像信号処理部１０、カメラ信号処理部１１及びチューナー部１２からそれぞれ与えられる映像信号を切り換える映像信号切り換え部１３と、映像信号切り換え部１３からの映像信号にＡ／Ｄ変換を施す映像信号Ａ／Ｄ変換部１４とを有している。
【００２７】
映像信号入力、カメラ、アンテナから入力される映像信号は、それぞれ映像信号処理部１０、カメラ信号処理部１１、チューナー部１２に送られ、各処理部で所定の処理を施され、映像信号切り換え部１３に送られる。ここで、チューナー部１２は、映像信号対する処理を行う映像系と音声信号に対する処理を行う音声系から構成され、アンテナから入力される映像信号はチューナー部１２の映像系にて処理される。
【００２８】
映像信号切り換え部１３は、入力される映像信号から所望の映像信号を選択して映像信号Ａ／Ｄ変換部１４に送る。映像信号Ａ／Ｄ変換部１４は、映像信号切り換え部１３からの映像信号にＡ／Ｄ変換を施し、映像信号切り換え部１５に送る。
【００２９】
映像信号切り換え部１５では、映像信号切り換え部１３と同様にして、映像信号Ａ／Ｄ変換部１４、デジタル映像入力、伸張部１８のいずれか一を選択し、映像信号帯域圧縮処理部１６に与える。
【００３０】
記録及び／又は再生装置の記録系は、入力される音声信号に処理を施す音声信号処理部２４と、マイクから入力される信号に処理を施すマイク入力音声処理部２５と、チューナー部１２、音声信号処理部２４及びマイク入力音声処理部２５からそれぞれ入力される音声信号を切り換える音声信号切り換え部２６と、音声信号切り換え部２６からの音声信号にＡ／Ｄ変換を施す音声信号Ａ／Ｄ変換部２７とを有している。
【００３１】
音声信号入力、マイク、アンテナから入力される音声信号はそれぞれ音声信号処理部２４、マイク入力音声処理部２５、チューナー部１２に送られ、各処理部で、入力音声信号に合わせた処理を施し、音声信号切り換え部２６に送られる。ここれ、アンテナから入力される音声信号は、チューナー部１２にて音声信号を処理する音声系にて処理される。
【００３２】
音声信号切り換え部２６は、各入力映像信号から、所望の映像信号を選択し音声信号Ａ／Ｄ変換部２７に送る。音声信号Ａ／Ｄ変換部２７は、音声信号切り換え部２８からの音声信号にＡ／Ｄ変換を施し、音声信号切り換え部２８に送る。
【００３３】
記録及び／又は再生装置の記録系は、例えばいわゆるＤＶ方式のように所定のフォーマットにより圧縮された信号を伸張する伸張部１８と、入力される圧縮デジタル信号のフォーマットを変換する圧縮方式変換部１９と、映像信号Ａ／Ｄ変換部１４、伸張部１８及び外部から入力されるデジタル映像信号を切り換える映像信号切り換え部１５と、映像信号切り換え部１５からの映像信号に帯域圧縮処理を施す映像信号帯域圧縮処理部１６と、映像信号帯域圧縮部１６及び圧縮方式変換部１９からの信号を切り換える映像信号切り換え部１７とを有している。
【００３４】
例えばいわゆるＤＶ信号等の所定のフォーマットにより圧縮された信号は、伸張部１８にて、この装置に適合するように変換が施された後、映像信号切り換え部１５に送られる。
【００３５】
映像信号帯域圧縮処理部１６は、映像信号切り換え部１５から与えられた映像信号に対して、いわゆるＭＰＥＧ（moving pictures experts group ）やいわゆるＪＰＥＧ（joint photographic coding experts group ）といった帯域圧縮を施し、映像信号切り換え部１７に送る。
【００３６】
映像信号切り換え部１７では、デジタル衛星放送／デジタルＴＶ放送等から圧縮方式変換部１９を経て入力される信号と、映像信号帯域圧縮処理部１６からの信号の選択を行う。なお、圧縮方式変換部１９を経て、コンピュータ等のデータを入力することも可能である。映像信号切り換え部１７にて選択された信号は多重化部２０に送られる。
【００３７】
記録及び／又は再生装置の記録系は、音声信号Ａ／Ｄ変換部２７、伸張部１８及び外部から入力されるデジタル音声信号を切り換える音声信号切り換え部２８と、音声信号切り換え部２８からの音声信号に帯域圧縮処理を施す音声信号帯域圧縮処理部２９と、音声信号帯域圧縮処理部２９及び圧縮方式変換部１９からの信号を切り換える音声信号切り換え部３０とを有している。
【００３８】
音声信号切り換え部２８は、音声信号切り換え部２６と同様に、音声信号Ａ／Ｄ変換部２７、入力されるデジタル音声信号、伸張部１８の所定のフォーマットの信号のいずれか一を選択し、音声信号帯域圧縮処理部２９に送る。
【００３９】
なお、入力される例えばいわゆるＤＶ信号等の所定のフォーマットの信号は伸張部１８にて、この装置に適合するよう変換が施された後、音声信号切り換え部２８に送られる。
音声信号帯域圧縮処理部２９は、音声信号切り換え部２８から与えられた音声信号に対して、例えばいわゆるＭＰＥＧオーディオやいわゆるＡＣ−３といった帯域圧縮を施し、音声信号切り換え部３０に送る。なお、音声の場合はリニアＰＣＭ等の非圧縮信号の場合もある。
【００４０】
音声信号切り換え部３０では、デジタル衛星放送、ＴＶ放送等の圧縮デジタル入力と、音声信号帯域圧縮処理部２９との選択を行う。なお、圧縮デジタル入力が、この装置の記録方式と適合しない場合は、圧縮方式変換部１９にて変換を行う。音声信号切り換え部３０にて選択された信号は多重化部２０に供給される。
【００４１】
記録及び／又は再生装置の記録系は、映像信号切り換え部１７及び音声信号切り換え部３０からの信号を多重化する多重化部２０と、多重化部２０からの信号に所定の処理を施す記録データ処理部２１と、記録データ処理部２１からのデータが記録される記録媒体２２と、記録媒体２２のヘッド、サーボ等の制御を行うディスクヘッド制御部２３とを有している。
【００４２】
多重化部２０は、映像信号切り換え部１７と、音声信号切り換え部３０から与えられた信号を多重化する。多重化部２０は、例えば、いわゆるＭＰＥＧシステムのプログラムストリームやトランスポートストリームを処理する。多重化部２０は、多重化した信号をデータバスを経由して記録データ処理部２１に送る。
【００４３】
記録データ処理部２１では、記録フォーマットに合わせ、例えばデータの並べ換えや、エラー訂正符号の付加、いわゆるＥＦＭ（eight to fourteen modulation）のような変調を行い、記録媒体２２に記録を行う。
【００４４】
記録媒体２２はディスクヘッド制御部２３により、サーボ、ヘッド移動等を制御される。記録媒体２２においては、記録データ処理部２１から与えられたデータは、ディスクヘッド制御部２３の制御の下に記録媒体２２に記録される。
【００４５】
記録及び／又は再生装置の記録系は、記録についての制御が入力される記録制御信号入力部３１と、記録制御信号入力部３１からの信号に基づいて、各処理部／制御部の制御を行うシステムコントローラ３２とを有している。
【００４６】
システムコントローラ３２は、記録制御信号入力部３１に入力された記録媒体２２への記録の制御に基づいて、各部を制御する。システムコントローラ３２は、例えば、映像信号切り換え部１３の制御を行い、各入力映像信号から、所望の映像信号を選択し映像信号Ａ／Ｄ変換部１４に送る。また、システムコントローラ３２は、例えば、音声信号切り換え部２６の制御を行う。さらに、システムコントローラ３２は、例えば、多重化に必要な時間情報、ストリーム情報等のヘッド情報を多重化部２０に送る。そして、システムコントローラ３２は、例えば、信号をデータバスを介して記録データ処理部２１に送る。さらに、システムコントローラ３２は、例えば、ＣＭを検出した結果に従い、ディスクヘッド制御部２３を介し、記録媒体２２への信号の書き込みを制御する。
【００４７】
なお、図２に示した記録及び／又は再生装置における記録系における記録媒体２２、ディスクヘッド制御部２３、記録制御信号入力部３１及びシステムコントローラ３２は、図１に示した記録及び／又は再生装置における記録媒体３、ディスクヘッド制御部５、記録制御信号入力部６及びシステムコントローラ７にそれぞれ対応している。
【００４８】
次に、記録及び／又は再生装置において、記録媒体３から情報信号を再生する再生系について、図３を参照して説明する。
【００４９】
記録及び／又は再生装置の再生系は、図１に示した記録及び／又は再生装置において、再生信号処理部４、再生制御信号入力部８を含み、システムコントローラ７の制御の下に、ディスクヘッド制御部５に制御されて記録媒体３からのデータの再生を行うものである。
【００５０】
記録及び／又は再生装置の再生系は、図３に示すように、情報信号が記録された記録媒体４１と、記録媒体４１に対する記録及び／又は再生の際のヘッダ、サーボ等の動作を制御するディスクヘッド制御部４２と、記録媒体４１から再生した情報信号を処理する再生データ処理部４３と、再生データ処理部４３からのデータの圧縮方式を変換する圧縮方式変換部４４と、再生データ処理部４３からのデータを分離する分離部４５とを有している。
【００５１】
記録媒体４１は、ディスクヘッド制御部４２の制御の下に、多重化信号が読み出される。記録媒体から読み出された多重化データは、再生データ処理部４３に送られる。
【００５２】
再生データ処理部４３は、記録媒体４１から読み出された多重化信号に対し、再生フォーマットに従って、例えばＥＦＭ復調、エラー訂正、データの並べ換え等の所定の処理を施す。再生データ処理部４３にて処理が施された多重化データは、データバスを介して圧縮方式変換部４４、分離部４５及び後述するシステムコントローラ６１に送られる。
【００５３】
圧縮方式変換部４４は、再生データ処理部４３から与えられた多重化データの圧縮方式を記録及び／又は再生装置の再生系に適応する方式、例えばいわゆるＤＶ方式に変換する。圧縮方式変換部４４は、圧縮方式を変換した多重化データを圧縮デジタル信号として出力する。
【００５４】
圧縮方式変換部４４は、例えばデジタル衛星放送受信機、デジタルＴＶ受信機のように、映像／音声伸張部を搭載した機器に対しては、必要に応じ圧縮方式を変換するものである。圧縮方式変換部１９からの出力をコンピュータ等に接続することも可能である。
【００５５】
分離部４５は、再生データ処理部４３から与えられた多重化データを、映像信号、音声信号等に分離する。
【００５６】
記録及び／又は再生装置の再生系は、分離部４５にて分離された映像信号に帯域伸張処理を施す第１の映像信号帯域伸張処理部４６及び第２の映像信号帯域伸張処理部４７と、分離部４５にて分離された音声信号に帯域伸長処理を施す第１の音声信号帯域伸長処理部５４及び第２の音声信号帯域伸長処理部５５と、第１の映像信号帯域伸長処理部４６からの映像信号及び第１の音声信号帯域伸長処理部５４からの音声信号からＣＭを検出する信号検出部であるＣＭ検出部６３とを有している。
【００５７】
ＣＭ区間の検出のために、第１の映像信号帯域伸長処理部４６及び第１の音声信号帯域伸長処理部５４は第１のチャンネルＣＨ１を、第２の映像信号帯域伸長処理部４７及び第２の音声信号帯域伸長処理部５５は第２のチャンネルＣＨ２を構成する。
【００５８】
すなわち、ＣＭの検出は、第２のチャンネルＣＨ２を構成している第２の映像信号帯域伸長処理部４７及び第２の音声信号帯域伸長処理部５５にて処理している現在位置に対して、第１の映像信号帯域伸長処理部４６及び第１の音声信号帯域伸長処理部５４にて処理されている時間的に先行する位置の映像信号に基づい行われる。
【００５９】
第１の映像信号帯域伸張処理部４６及び第２の映像信号帯域伸長処理部４７では、分離部４５にて多重化データから分離された映像信号に対して、いわゆるＭＰＥＧ、いわゆるＪＰＥＧ等の伸長を施す。第１の映像信号帯域伸長処理部４６においては、第２の映像信号帯域伸長処理部４７より時間的に先行して映像信号が処理される。
【００６０】
第１の音声信号帯域伸張処理部５４及び第２の音声信号帯域伸長処理部５５では、分離部４５にて多重化データから分離された音声信号に対して、いわゆるＭＰＥＧオーディオ、いわゆるＡＣ−３等の伸長を施す。なお、リニアＰＣＭのときは伸張処理はしない。第１の音声信号帯域伸長処理部５４においては、第２の音声信号帯域伸長処理部５５より時間的に先行して音声信号が処理される。
【００６１】
これら第１のチャンネルＣＨ１及び第２のチャンネルＣＨ２を構成する部分におけるＣＭの検出については、さらに後述する。
【００６２】
ＣＭ検出部６３は、第１の映像信号伸長処理部６４にて伸長処理を施された映像信号と、第１の音声信号伸長処理部５４にて伸長処理を施された音声信号とから、ＣＭを検出する。ＣＭ検出部６３は、図１における信号検出部９に対応している。
【００６３】
記録及び／又は再生装置の再生系は、第２の映像信号帯域伸張処理部４７からの映像信号にＤ／Ａ変換を施す映像信号Ｄ／Ａ変換部４９と、映像信号Ｄ／Ａ変換部４９からの映像信号に処理を施して出力する映像信号出力処理部５１と、データを圧縮して出力する圧縮部５３とを有している。
【００６４】
第２の映像信号帯域伸長処理部４７で伸長処理を施された映像信号は、映像信号Ｄ／Ａ変換部４９にてＤ／Ａ変換される。映像信号Ｄ／Ａ変換部４９は、Ｄ／Ａ変換しないデジタル映像出力も同時に出力する。また、第２の映像信号帯域伸長処理部４７からの映像信号は、圧縮部５３にて例えばいわゆるＤＶ方式の多重化データに圧縮されて出力される。映像信号Ｄ／Ａ変換部４９にてＤ／Ａ変換された映像信号は、映像信号出力処理部５１にて所定の処理を施され、映像信号出力として出力される。
【００６５】
記録及び／又は再生装置の再生系は、第２の音声信号帯域伸張処理部５５からの音声信号にＤ／Ａ変換を施す音声信号Ｄ／Ａ変換部５９と、音声信号Ｄ／Ａ変換部５９からの音声信号に処理を施して出力する音声信号出力処理部６０とを有している。
【００６６】
ＣＭ検出部６３におけるＣＭの検出は、第２の音声信号帯域伸長処理部５５にて処理している音声信号の現在位置に対して、第１の音声信号帯域伸長処理部５４にて処理された時間的に先行する位置の音声信号に基づいて行われる。ＣＭの検出の詳細は、さらに後述する。
【００６７】
第２の音声信号帯域伸長処理部５５で伸長処理を施された音声信号は、音声信号Ｄ／Ａ変換部５９にてＤ／Ａ変換される。音声信号Ｄ／Ａ変換部５９は、Ｄ／Ａ変換しないデジタル音声出力も同時に出力する。また、第２の音声信号帯域伸長処理部５５からの音声信号は、圧縮部５３にて例えばいわゆるＤＶ方式の多重化データに圧縮されて出力される。音声信号Ｄ／Ａ変換部５９にてＤ／Ａ変換された音声信号は、音声信号出力処理部６０にて所定の処理を施され、音声信号出力として出力される。
【００６８】
記録及び／又は再生装置の再生系は、この装置の各部を制御するシステムコントローラ６１と、記録媒体４１からの情報信号の再生制御を入力する再生制御信号入力部６２とを有している。
【００６９】
システムコントローラ６１は、再生データ処理部４３よりデータバスを介して記録媒体４１から再生された多重化されたデータが、再生制御信号入力部６３からは記録媒体４１からの再生制御が、ＣＭ検出部６３からはＣＭの検出情報が、それぞれ入力される。システムコントローラ６１は、これらの入力される信号に基づいて、装置の各部を制御する。
【００７０】
再生制御信号入力部６２は、情報信号を記録媒体３から再生する制御信号を入力するために、例えば入力手段として押しボタンスイッチを有する。再生制御信号入力部８での入力操作により、再生制御信号がシステムコントローラ６１に送られる。
【００７１】
なお、図３に示した記録及び／又は再生装置の再生系における記録媒体４１、ディスクヘッド制御部４２、再生制御信号入力部６２及びシステムコントローラ６１は、図１に示した記録及び／又は再生装置における記録媒体３、ディスクヘッド制御部５、記録制御信号入力部６及びシステムコントローラ７にそれぞれ対応している。
【００７２】
次に、記録及び／再生装置の再生系のＣＭ検出部６３について、図４を参照して説明する。ＣＭ検出部６３は、第１の映像信号帯域伸長処理部４７及び第１の映像信号帯域伸長処理部５４にて先読みした映像信号及び音声信号に基づいて、ＣＭを検出するものである。
【００７３】
ＣＭ検出部６３は、音声信号から無音声部を検出する無音声部検出回路７１と、映像信号を遅延させる遅延回路７２と、無音声部検出回路７１にて検出された音声信号の無音声部、スルーの映像信号及び遅延回路７２にて遅延された映像信号からシーンチェンジを検出するシーンチェンジ検出回路７３と、シーンチェンジ検出回路７３からの信号からＣＭ区間を検出するＣＭ区間検出回路７４とを有している。
【００７４】
第１の音声信号帯域伸長処理部５４からＣＭ検出部６３に入力される音声信号は、サンプリング周波数１６ＫＨｚ、１６ビットの量子化を行われているデジタル音声信号である。このデジタル化された音声データは、ＣＭ検出部６３の無音声部検出回路７１に入力される。無音声部検出回路７１では、毎フレームの平均音声レベルを検出している。
【００７５】
無音声部検出回路７１の内部の処理について、図５に示すフローチャートと、図６に示す信号の波形とを参照して説明する。
【００７６】
ステップＳ３１では、無音声部検出回路７１は、第１の音声信号帯域伸長処理部５４から出力されたデジタル音声データを取り込む。第１の音声信号帯域伸長処理部５４から出力されたデジタル音声データは、図６中のＡに示すように、１秒間に３０フレームのレートで処理をしているので、１６Ｋ／３０サンプルである。
【００７７】
ステップＳ３２では、ステップＳ３１で入力されたデジタル音声データの絶対値を求める。絶対値化されたデジタル音声信号は、図６中のＢに示すようになる。
【００７８】
ステップＳ３３では、ステップＳ３２で絶対値化されたデジタル音声データの平均レベルを算出する。絶対値化されたデジタル音声信号の平均レベル又は平均値は、図６中のＣに示すようになる。
【００７９】
ステップＳ３４では、ステップＳ３３で算出した平均値と無音閾値を比較する。そして、平均値が無音閾値より小さいときには“ＹＥＳ”として無音判定を出力し、そうでないときには“ＮＯ”として有音判定を出力する。無音判定出力を出すということは、そのフレームが無音区間であると判定したことになる。
【００８０】
一方、第１の映像信号帯域伸長処理部４６からＣＭ検出部６３に入力された映像信号は、遅延回路７２及びシーンチェンジ検出回路７３に入力される。
【００８１】
遅延回路７２は例えば所定のフレーム数のフレームメモリで構成される。本実施の形態では、遅延回路７２は、１フレームのフレームメモリで構成される。遅延回路７２からは所定のフレーム数に対応する時間だけ遅延された映像信号がシーンチェンジ検出回路７３に入力される。
【００８２】
シーンチェンジ検出回路７３では無音声部検出回路７１からの信号と遅延回路７２にて遅延された映像信号、及びスルーの映像信号とを入力とし、無音声区間でのシーンチェンジ検出を行う。シーンチェンジ検出回路７３におけるシーンチェンジの処理について、図７を参照して説明する。
【００８３】
ステップＳ３５では、シーンチェンジ検出回路７３には、無音声部検出回路７１からの出力が入力される。この無音声部検出回路７からは、ＣＭ検出部６３に入力されている信号が無音声であるか否かの判定結果が出力される。
【００８４】
ステップＳ３６では、無音声部検出回路７１からの判定出力に基づいて、処理の流れが分岐する。これは、ＣＭは、その始点・終点の音声信号が無音になるという性質を利用したものである。
【００８５】
無音声部検出回路７１からの出力が有音判定であった場合には、そのフレームはＣＭの始点・終点ではないことになる。
【００８６】
無音声部検出回路７１からの出力が無音判定であった場合には、そのフレームはＣＭの始点・終点の候補であることになる。この場合には、シーンチェンジ検出回路７３における処理は、ステップＳ３７に進む。
【００８７】
ステップＳ３７では、フレーム間相関を判定する。フレーム間相関判定は、シーンチェンジ検出回路７１に入力される、スルーの映像信号と遅延回路７２からの遅延映像信号とを比較し、その相関を算出することにより行われる。
【００８８】
相関の計算方法には、例えば、（１）各画像の信号レベルのヒストグラムの相関を使う方法や、（２）それぞれの画面の各画素について差分を取り、その積分値を相関値にする方法、（３）それぞれの画面を複数の領域に分け、各領域での相関を取り多数決を取る方法などが考えられる。本実施の形態では、最もシンプルと思われる（２）の方法を採用することにする。
【００８９】
本実施の形態における（２）それぞれの画面の各画素に付いて差分を取り、その積分値を相関値にする方法について、図８を参照して説明する。
【００９０】
シーンチェンジ検出回路７３には、遅延回路７２から遅延された映像信号が入力される。この遅延された映像データについて、図８中のＡに示すように、画像サイズをｎ×ｍ、水平方向座標量をｉ、垂直方向座標量をｊ、座標（ｉ，ｊ）のデータをＤｉｊとする。
【００９１】
シーンチェンジ検出回路７３には、スルーの映像信号の入力される。このスルーの映像データについて、図８中のＢに示すように、画像サイズをｎ×ｍ、水平方向座標量をｉ、垂直方向座標量をｊ、遅延映像画の座標（ｉ，ｊ）のデータをＳｉｊとする。
【００９２】
このように定義すると、遅延された映像データとスルーの映像データの２枚の画像の相関値Ｅは、次式によって与えられる。ここで、ａｂｓは、絶対値を求める関数を表す。
【００９３】
【数１】
0004196475.tif 000002
【００９４】
ステップＳ３８では、ステップＳ３７で算出されたフレーム間の相関値Ｅを所定の閾値を比較することによりシーンチェンジを判定する。
【００９５】
相関値Ｅが閾値より大きかった場合には、２枚の画像の相関の度合いは小さいことになり、シーンチェンジであったと判定する。スルーの映像データと遅延した映像データがシーンチェンジの前後に位置する場合には、画像が大きく変化したのでこれらの画面の相関は小さく、相関値Ｅは小さいことになる。
【００９６】
ステップＳ３６による判定に基づき、ステップＳ３８の判定は無音区間で行われているので、シーンチェンジがあったと判定されたときには、無音区間でシーンチェンジがあったと判定されることになる。そして、ＣＭの始点・終点の候補点として出力される。
【００９７】
相関値Ｅが閾値を超えない場合には、２枚の画像の相関が大きいことになり、シーンチェンジではないと判定される。そして、このフレームはＣＭの始点・終点の候補点ではないと出力される。
【００９８】
シーンチェンジ検出回路７２の結果は、ＣＭ候補区間検出回路７４に入力される。ＣＭ候補区間検出回路７４は、シーンチェンジ検出回路７２からの検出結果に所定の時間分だけ記憶しておくメモリ領域を有している。図９に示すように、本実施の形態では、ＣＭは最長でも１分以内であることが多いことより、１分のメモリ、つまり、１２０秒×３０フレーム×１ビットのＲＡＭを用意した。このＲＡＭは、例えばＣＭ検出部６３のＣＭ候補区間検出回路７４に備えられる。
【００９９】
このＲＡＭの記憶の内容を配列Scene_Change[]で表すことにする。ＲＡＭのScene_Change[]には、シーンチェンジ検出回路７２からの出力がＣＭの始点・終点の候補点であるならば１が、候補点でないならば０がフレーム毎に記憶される。
【０１００】
図９では、ＲＡＭのScene_Change[]において、先頭に現在のフレームとして０が、次に１フレーム前として０が、これに続いて１００００００１００００００１０００００００１００・・・１０００００１００００００と続き、末尾が１分前のフレームとして１となっている。
【０１０１】
このように、ＣＭの始点・終点の候補点が記憶されたＲＡＭを用いて行うＣＭの候補区間の検出について、図１０を参照して説明する。
【０１０２】
図１０には、シーンチェンジ毎にまとめた区間として、１８秒の区間Ｂ０、合わせて１５秒となる区間Ｂ１及び区間Ｂ２、１５秒の区間Ｂ３、３０秒の区間Ｂ４、１７秒の区間Ｂ５、時間が明らかでない区間Ｂ６、１３秒の区間Ｂ７、１５秒の区間Ｂ８、１５秒の区間Ｂ９、及び２０秒の区間Ｂ９が示されている。
【０１０３】
ここで、ＣＭは１５秒を単位とした連続した区間であるという性質を利用してＣＭ候補区間を検出することにする。このような性質を利用すると、図の下段の検出結果に示すように、区間Ｂ１〜区間Ｂ４と区間Ｂ８〜区間Ｂ９がＣＭ候補区間と判断され、他の区間はＣＭ候補区間とは判断されない。
【０１０４】
ＣＭ検出部６３のＣＭ候補区間検出部７４は、このようなＣＭの性質を利用してＣＭの候補区間を検出し、ＣＭの候補区間については１を出力し、それ以外の区間では０を出力する。
【０１０５】
以上、再生時のＣＭ検出方法の一例を示したが、例えば音声多重信号がＩＤとして記録されている場合は、それを併用しても構わない。
【０１０６】
次に、再生時のＣＭスキップについて、図１１を参照して説明する。ＣＭスキップは、上述のように検出したＣＭ区間について、再生をスキップするものである。
【０１０７】
再生時のＣＭスキップの処理は、上述した記録及び／又は再生装置の再生系における、第１の映像信号帯域伸長処理部４６及び第１の音声信号帯域伸長処理部５４から構成される第１のチャンネルＣＨ１、第２の映像信号帯域伸長処理部４７及び第２の映像信号帯域伸長処理部５５を第２のチャンネルＣＨ２から構成される第２のチャンネルＣＨ２を用いて行われる。
【０１０８】
即ち、ＣＭスキップは、第２のチャンネルＣＨ２における再生信号の現在位置を基準として、時間的に先行する位置を先読みした第１のチャンネルＣＨ１における再生信号からＣＭを検出し、検出したＣＭをスキップするものである。
【０１０９】
図１１中には、エリアＡ１からエリアＡ５までなる連続した信号が示されている。エリアＡ１からエリアＡ５まで、エリアＡ２及びエリアＡ４がＣＭ区間であるものとし、エリアＡ１、エリアＡ３及びエリアＡ５はそうでないものとする。
【０１１０】
例えば、図１０の下段のＣＭ候補区間と対照すると、区間Ｂ０がエリアＡ１に、区間Ｂ１〜区間Ｂ４がエリアＡ２に、区間Ｂ５〜区間Ｂ７がエリアＡ３に、区間Ｂ８及び区間Ｂ９がエリアＡ４に、区間Ｂ１０がエリアＡ５に、それぞれ対応している。なお、図中では信号を連続的に書いているが、記録媒体３上において信号は必ずしも連続的には記録されているとは限らない。
【０１１１】
まずはじめに、第１の再生状態（再生１）に示すように、第１のチャンネルＣＨ１においては、第２のチャンネルＣＨ２における再生の位置を基準として、例えば２分間分先読みが行われる。
【０１１２】
第１の再生状態に続いて、第２の再生状態（再生２）において、第１のチャンネルＣＨ１では既にエリアＡ２が再生されている。第１のチャンネルＣＨ１における再生結果により、エリアＡ２がＣＭであると判断される。ＣＭである判断されたエリアＡ２の開始及び終了の位置情報は、システムコントローラ７に送られる。システムコントローラ７は、その情報をＣＭの開始、終了の位置情報、例えば、アドレスやフレームナンバーに変換して記憶する。
【０１１３】
第２のチャンネルＣＨ２において再生された信号がエリアＡ２の位置に到達すると、システムコントローラ７は先ほどの情報を基に、第２のチャンネルＣＨ２における再生を制御し、第２のチャンネルＣＨ２において、エリアＡ２がスキップされて再生がなされるように制御する。
【０１１４】
第３の再生状態（再生３）においては、第１のチャンネルＣＨ１における再生は、第２のチャンネルＣＨ２における再生がエリアＡ３の先頭からスタートされると同時に、第１のチャンネルＣＨ１における再生の現在位置から先ほど第２のチャンネルＣＨ２における再生がスキップされた時間分だけスキップされる。これにより、第２のチャンネルＣＨ２における再生の現在位置が、第１のチャンネルＣＨ１における再生の位置に追い付いたり追い抜くことが防がれる。
【０１１５】
ここでは、第１のチャンネルＣＨ１における再生は、第２のチャンネルＣＨ２における再生のスキップに伴ってスキップされるものとしたが、第１のチャンネルＣＨ１における再生の動作は、エリアＡ２がＣＭであることが判断された直後に再生がスキップされるようにすることもできる。
【０１１６】
このように第１のチャンネルＣＨ１における再生が第２のチャンネルにおける再生の現在位置よりも先行するようにすることにより、第２のチャンネルＣＨ２における再生時にＣＭを検出しながらそれをスキップすることが可能となる。
【０１１７】
上述の説明では検出したＣＭエリアをスキップする動作に付いて述べたが、いわゆるＭＰＥＧ規格に基づいて、フレーム内で自己完結したＩピクチャについて行うＩピクチャサーチ等の高速再生にも同様に適用することができる。
【０１１８】
なお、上述の再生時のスキップの説明では、第１のチャンネルＣＨ１及び第２のチャンネルＣＨ２における再生速度が同一であるとして説明したが、第１のチャンネルＣＨ１及び第２のチャンネルＣＨ２においては、異なる速度で再生が行われてもよい。例えば、第１のチャンネルＣＨ１における再生、第２のチャンネルＣＨ２がスキップした後に所定時間に限って倍速にて再生されることもできる。
【０１１９】
上述のように、再生時のＣＭスキップにおいては、第１のチャンネルＣＨ１と第２のチャンネルＣＨ２の２つのチャンネルにより再生が行われ、ＣＭが検出される。ここで、第１のチャンネルＣＨ１と第２のチャンネルＣＨ２による記録媒体からの同時再生について説明する。
【０１２０】
このような第１のチャンネルＣＨ１と第２のチャンネルＣＨ２における同時再生は、図１２に示すような第１のチャンネルＣＨ１用バッファ７１及び第２のチャンネルＣＨ２用バッファ７２をスイッチ７３にて適宜に切り換えることにより実現される。
【０１２１】
第１のチャンネルＣＨ１用バッファ７１、第２のチャンネルＣＨ２用バッファ７２は、図３に示した記録及び／又は再生装置の再生系の分離部４５の内部に、スイッチ７３は、記録データ処理部４３の内部に、ヘッド４４と記録媒体４５は記録媒体３の内部にそれぞれ存在する。
【０１２２】
第１のチャンネルＣＨ１用バッファ７１の出力は、分離部４５で映像と音声に分離され、映像は第１の映像信号帯域伸長処理部４６に、音声は第１の音声信号帯域伸長処理部５４にそれぞれ供給される。第２のチャンネルＣＨ２用バッファ７２の出力は、分離部４５で映像と音声に分離され、映像は第２の映像信号帯域伸長処理部４７に、音声は第２の音声信号帯域伸長処理部５５にそれぞれ供給される。
【０１２３】
第１のチャンネルＣＨ１と第２のチャンネルＣＨ２における再生が同時に行われる場合には、第１のチャンネルＣＨ１と第２のチャンネルＣＨ２の各々のアクセス権に従い、ヘッド７４を介し記録媒体７５から読み出し、スイッチ７３を切り換えて第１のチャンネルＣＨ１用バッファ７１及び第２のチャンネルＣＨ２用バッファ７２にそれぞれに入力するようにする。
【０１２４】
図１３中のＡの記録媒体アクセス権に示すように、第１のチャンネルＣＨ１と第２のチャンネルＣＨ２に対する読み出しは交互に行われ、切り換え時は、ヘッドの移動に伴い、シーク、フォーカスサーボ、等線速度（constant linear velocity; CLV）の場合は回転数の制定などの時間を要する。これらを加えた時間をアクセスタイムＴｓとする。
【０１２５】
また、図中において、Ｔｗ１は第１のチャンネルＣＨ１のアクセス時間、Ｔｗ２は第２のチャンネルＣＨ２のアクセス時間、Ｔｃは１周期のサイクル時間である。
【０１２６】
ここで、第１のチャンネルＣＨ１用バッファ７１は、間欠的に信号が入力され、ある一定レートで信号が入力され、ある一定レートで信号が出力されるが、この間にバッファがオーバーフローしないようバッファの容量を決める必要がある。
【０１２７】
すなわち、図１３中のＢに示す第１のチャンネルＣＨ１用バッファ７１内の信号量のように、第１のチャンネルＣＨ１にアクセス権がある場合は、出力信号レートに対し、読み出しのレートのほうが遅いので、バッファ内の信号は増加をするが、第２のチャンネルＣＨ２にアクセス権があるときと、その前後でのアクセスタイム２回分の時間２Ｔｓは、読み出しが停止するので、バッファ内の信号は減少することになる。よって、記録エリア１用バッファ７１として、Ｂｍ（Ｍｂｉｔ）以上が必要となる。
【０１２８】
また、図１３中のＣに示す第２のチャンネルＣＨ２用バッファ７２についても同様である。すなわち、第２のチャンネルＣＨ２用バッファ７２内の信号量のように、第２のチャンネルＣＨ２にアクセス権がある場合は、出力信号レートに対し、読み出しのレートのほうが遅いので、バッファ内の信号は増加をするが、第１のチャンネルＣＨ１にアクセス権があるときと、その前後でのアクセスタイム２回分の時間２Ｔｓは、読み出しが停止するので、バッファ内の信号は減少することになる。よって、記録エリア２用バッファ８２として、Ｂｍ（Ｍｂｉｔ）以上が必要となる。この信号量の最大値であるＢｍ（ＭＢｉｔ）の計算方法を以下に示す。
【０１２９】
出力信号のレートをＲｓ（Ｍｂｐｓ）、記録媒体からの読み出しレートをＲｍ（Ｍｂｐｓ）、アクセスタイムをＴｓ（ｓｅｃ）、サイクルタイムをＴｃ（ｓｅｃ）とすると、
Ｔｃ＝（Ｒｍ・２・Ｔｓ）／（Ｒｍ−２・Ｔｓ）
Ｂｍ≧Ｒｓ・（Ｔｃ＋２・Ｔｓ）／２
となる。
【０１３０】
ここで、第１のチャンネルＣＨ１のアクセス時間Ｔｗ１と第２のチャンネルＣＨ２のアクセス時間Ｔｗ２は等しいことが条件である。以上の動作を行うことにより、同時２ＣＨ再生が可能である。
【０１３１】
次に、再生時に検出したＣＭ検出情報を記録媒体３に書き込む方法について説明する。上述した再生時におけるスキップは、このようなＣＭ検出情報に基づいて行われる。
【０１３２】
再生中にＣＭであるという情報を受けたシステムコントローラ７は、その情報をＣＭの開始、終了の位置情報、例えば、アドレス（address）やフレームナンバー（frame no）に変換して内部のメモリに保存する。
【０１３３】
システムコントローラ７は、この情報を再生中若しくは再生が終了した時点で、ＴＯＣ（table of contents）の一部として記録媒体３に書き込みを行う。
【０１３４】
ＴＯＣは、図１４に示すように、２４ビットのフレーム番号（frame no）、３２ビットの前フレームアドレス（frame address）、３２ビットの後フレームアドレス、１ビットのＣＭイン（in）及び３２ビットのジャンプアドレス（jump address）から構成されている。映像信号及び音声信号の情報が１フレーム単位でＴＯＣとして記録される。
【０１３５】
フレームナンバーは、映像信号／音声信号とＴＯＣをフレーム単位で対応を取る情報である。前フレームアドレスは、１フレーム前の映像／音声が記録媒体上のどの位置に書かれているのかの情報である。後フレームアドレスは、１フレーム後の映像音声が記録媒体３上のどの位置に書かれているかの情報である。これらは、通常再生／逆転再生時の、プログラムチェーン情報として使用される。
【０１３６】
ＣＭインは、ＴＯＣに対応するフレームがＣＭのイン点か否かのフラグである。ジャンプアドレスは、ＣＭのイン点の場合、それに対応するアウト点のフレームのアドレスが書かれている。
【０１３７】
上記ＴＯＣを記録することにより、次回の再生時や、ＣＭ検出機能のない機器においても、このＴＯＣ情報をもとにＣＭのスキップや高速再生が可能となる。
【０１３８】
なお、上述の実施の形態では、ディスク状の記録媒体を例示したが、本発明はディスク状の記録媒体には限定されない。例えば、本発明には、記録媒体として半導体メモリを適用することができる。
【０１３９】
また、上述の実施の形態においては、第２の情報信号をＣＭとして説明したが、本発明はこれに限定されない。本発明では、例えば、第２の情報信号を無音部分の情報信号とすることができる。また、本発明では、例えば、第２の情報信号をタイトル、エンディング、テーマ曲部分等の番組の共通部分とすることができる。これらの場合にも、第１の情報信号は、情報信号から上記第２の情報信号の部分を除いたものである。
【０１４０】
【発明の効果】
以上説明したように本発明によれば、再生時にＣＭの検出を行っているので、記録時にコマーシャル（ＣＭ）検出を行っていない記録媒体の再生においても、ＣＭのスキップや高速再生が可能である。
【０１４１】
また、再生時にＣＭを検出し、その検出情報をＴＯＣとして記録媒体に記録するので、ＣＭ検出機能のない機器においても、ＣＭのスキップや高速再生が可能となる。
【図面の簡単な説明】
【図１】記録再生部の構成を示すブロック図である。
【図２】記録系の構成を示すブロック図である。
【図３】再生系の構成を示すブロック図である。
【図４】ＣＭ検出装置の構成を示すブロック図である。
【図５】無音検出回路の処理を示すフローチャートである。
【図６】無音検出回路での信号の波形を示す図である。
【図７】シーンチェンジ検出回路の処理を示すフローチャートである。
【図８】画像の相関値を計算する模式図である。
【図９】ＣＭ区間の検出に用いるＲＡＭの模式図である。
【図１０】ＣＭ区間の検出の一例を示す図である。
【図１１】ＣＭをスキップした再生を説明する図である。
【図１２】同時に２チャンネルを再生するためのバッファの構成を示す図である。
【図１３】記録媒体へのアクセス権とバッファ内の信号量を示す図である。
【図１４】ＴＯＣの構成を示す図である。
【符号の説明】
１  記録信号処理部、３  記録媒体、４  再生信号処理部、５  ディスクヘッド制御部、６  記録制御信号入力部、７  システムコントローラ、８  再生制御信号入力部、９  信号検出部
【図１】
0004196475.tif 000003
【図２】
0004196475.tif 000004
【図３】
0004196475.tif 000005
【図４】
0004196475.tif 000006
【図５】
0004196475.tif 000007
【図６】
0004196475.tif 000008
【図７】
0004196475.tif 000009
【図８】
0004196475.tif 000010
【図９】
0004196475.tif 000011
【図１０】
0004196475.tif 000012
【図１１】
0004196475.tif 000013
【図１２】
0004196475.tif 000014
【図１３】
0004196475.tif 000015
【図１４】
0004196475.tif 000016